【手続補正書】
【提出日】平成17年10月31日(2005.10.31)
【手続補正１】
【補正対象書類名】明細書
【補正対象項目名】特許請求の範囲
【補正方法】変更
【補正の内容】
【特許請求の範囲】
【請求項１】
被写体に放射線を照射する小焦点放射線源と、前記被写体を保持する被写体保持部材と、前記被写体を透過した放射線に基づく放射線画像情報を読み取る放射線画像検出器とを有し、
前記被写体保持部材に保持される被写体乳房の位相コントラスト乳房撮影を行なう放射線画像撮影装置において、
前記放射線画像検出器の端面が、前記小焦点放射線源の焦点と、前記被写体保持部材上の被写体胸壁面とを結ぶ略直線上又は該直線上より被写体側に位置するように、前記被写体保持部材及び前記放射線画像検出器の少なくとも一方を、前記被写体胸壁面と対向する方向又は前記被写体胸壁面と離間する方向に移動可能に設けたことを特徴とする放射線画像撮影装置。
【請求項２】
前記被写体保持部材及び前記放射線画像検出器の少なくとも一方を移動する移動手段を備えることを特徴とする請求項１に記載の放射線画像撮影装置。
【請求項３】
前記放射線画像検出器は、放射線画像検出する輝尽性蛍光体を有し、この輝尽性蛍光体端面が前記略直線上に位置することを特徴とする請求項１又は請求項２に記載の放射線画像撮影装置。
【請求項４】
前記放射線画像検出器は、放射線画像検出するフラットパネルディテクタを有し、このフラットパネルディテクタのＸ線検出部の端面が前記略直線上に位置することを特徴とする請求項１又は請求項２に記載の放射線画像撮影装置。
【請求項５】
前記放射線画像検出器は、放射線画像検出する輝尽性蛍光体を有し、この輝尽性蛍光体端面が前記略直線上より２ｍｍ以上被写体側に位置することを特徴とする請求項１又は請求項２に記載の放射線画像撮影装置。
【請求項６】
被写体に放射線を照射する小焦点放射線源と、前記被写体を保持する被写体保持部材と、前記被写体を透過した放射線に基づく放射線画像情報を読み取る放射線画像検出器とを有し、
前記被写体保持部材に保持される被写体乳房の位相コントラスト乳房撮影を行なう放射線画像撮影装置において、
前記放射線画像検出器の端面が、前記小焦点放射線源の焦点と、前記被写体保持部材上の被写体胸壁面とを結ぶ略直線上になるように前記被写体保持部材と、前記放射線画像検出器とを移動する第１移動手段と、
前記放射線画像検出器の端面が、前記小焦点放射線源の焦点と、前記被写体保持部材上の被写体胸壁面とを結ぶ略直線上より被写体側になるように前記被写体保持部材と、前記放射線画像検出器とを移動する第２移動手段と、
前記第１移動手段と前記第２移動手段とを切り替える制御手段とを備え、
前記制御手段は、前記移動手段の移動方向を、撮影方向が垂直方向か垂直方向以外かによって切り替えることを特徴とすることを特徴とする放射線画像撮影装置。
【請求項７】
前記制御手段は、撮影方向を垂直方向と垂直方向以外の方向によって切り替えることを特徴とする請求項６に記載の放射線画像撮影装置。
【請求項８】
前記被写体の被験者が寝ることが可能な寝台を有し、前記被験者が寝た状態で乳房撮影が可能であることを特徴とする請求項１乃至請求項７のいずれか１項に記載の放射線画像撮影装置。
【請求項９】
前記放射線画像検出器の端面が、前記小焦点放射線源の焦点と、前記被写体保持部材上の被写体胸壁面とを結ぶ鉛直方向の略直線上に位置することを特徴とする請求項１乃至請求項８のいずれか１項に記載の放射線画像撮影装置。
【請求項１０】
前記放射線画像検出器の端面が、前記小焦点放射線源の焦点と、前記被写体保持部材上の被写体胸壁面とを結ぶ斜め方向の略直線上に位置することを特徴とする請求項１乃至請求項９のいずれか１項に記載の放射線画像撮影装置。
【請求項１１】
記放射線画像検出器が、平面視四角形で２５×３２ｃｍ以上の大型カセッテであることを特徴とする請求項１乃至請求項１０のいずれか１項に記載の放射線画像撮影装置。
【請求項１２】
前記放射線画像検出器が、被写体胸壁の画像欠損領域が２ｍｍ以下の大型カセッテであることを特徴とする請求項１乃至請求項１１のいずれか１項に記載の放射線画像撮影装置。
【手続補正２】
【補正対象書類名】明細書
【補正対象項目名】００１１
【補正方法】削除
【補正の内容】
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
請求項１に記載の発明は、被写体に放射線を照射する小焦点放射線源と、前記被写体を保持する被写体保持部材と、前記被写体を透過した放射線に基づく放射線画像情報を読み取る放射線画像検出器とを有し、
前記被写体保持部材に保持される被写体乳房の位相コントラスト乳房撮影を行なう放射線画像撮影装置において、
前記放射線画像検出器の端面が、前記小焦点放射線源の焦点と、前記被写体保持部材上の被写体胸壁面とを結ぶ略直線上又は該直線上より被写体側に位置するように、前記被写体保持部材及び前記放射線画像検出器の少なくとも一方を、前記被写体胸壁面と対向する方向又は前記被写体胸壁面と離間する方向に移動可能に設けたことを特徴とする放射線画像撮影装置である。
【手続補正５】
【補正対象書類名】明細書
【補正対象項目名】００１４
【補正方法】変更
【補正の内容】
【００１４】
この請求項1に記載の発明によれば、被写体保持部材及び放射線画像検出器の少なくとも一方を、被写体胸壁面と対向する方向又は被写体胸壁面と離間する方向に移動することで、位相コントラスト拡大撮影で、被写体に放射線が当たることを軽減し、かつ画像欠損領域が生じることがなく乳房画像を得ることができる。
【手続補正６】
【補正対象書類名】明細書
【補正対象項目名】００１５
【補正方法】変更
【補正の内容】
【００１５】
請求項２に記載の発明は、前記被写体保持部材及び前記放射線画像検出器の少なくとも一方を移動する移動手段を備えることを特徴とする請求項１に記載の放射線画像撮影装置である。
【手続補正７】
【補正対象書類名】明細書
【補正対象項目名】００１６
【補正方法】変更
【補正の内容】
【００１６】
この請求項２に記載の発明によれば、被写体保持部材及び放射線画像検出器の少なくとも一方を移動することで、位相コントラスト拡大撮影で、被写体に放射線が当たることを軽減し、かつ画像欠損領域が生じることがなく乳房画像を得ることができる。
【手続補正８】
【補正対象書類名】明細書
【補正対象項目名】００１７
【補正方法】変更
【補正の内容】
【００１７】
請求項３に記載の発明は、前記放射線画像検出器は、放射線画像検出する輝尽性蛍光体を有し、この輝尽性蛍光体端面が前記略直線上に位置することを特徴とする請求項１又は請求項２に記載の放射線画像撮影装置である。
【手続補正９】
【補正対象書類名】明細書
【補正対象項目名】００１８
【補正方法】変更
【補正の内容】
【００１８】
この請求項３に記載の発明によれば、輝尽性蛍光体に画像欠損領域が生じることがなく乳房画像を得ることができる。
【手続補正１０】
【補正対象書類名】明細書
【補正対象項目名】００１９
【補正方法】変更
【補正の内容】
【００１９】
請求項４に記載の発明は、前記放射線画像検出器は、放射線画像検出するフラットパネルディテクタを有し、このフラットパネルディテクタのＸ線検出部の端面が前記略直線上に位置することを特徴とする請求項１又は請求項２に記載の放射線画像撮影装置である。
【手続補正１１】
【補正対象書類名】明細書
【補正対象項目名】００２０
【補正方法】変更
【補正の内容】
【００２０】
この請求項４に記載の発明によれば、フラットパネルディテクタに画像欠損領域が生じることがなく乳房画像を得ることができる。
【手続補正１２】
【補正対象書類名】明細書
【補正対象項目名】００２１
【補正方法】変更
【補正の内容】
【００２１】
請求項５に記載の発明は、前記放射線画像検出器は、放射線画像検出する輝尽性蛍光体を有し、この輝尽性蛍光体端面が前記略直線上より２ｍｍ以上被写体側に位置することを特徴とする請求項１又は請求項２に記載の放射線画像撮影装置である。
【手続補正１３】
【補正対象書類名】明細書
【補正対象項目名】００２２
【補正方法】変更
【補正の内容】
【００２２】
この請求項５に記載の発明によれば、輝尽性蛍光体端面が被写体側に位置することで、輝尽性蛍光体に画像欠損領域が生じることがなく乳房画像を得ることができる。
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】変更
【補正の内容】
【００２５】
請求項６に記載の発明は、被写体に放射線を照射する小焦点放射線源と、前記被写体を保持する被写体保持部材と、前記被写体を透過した放射線に基づく放射線画像情報を読み取る放射線画像検出器とを有し、
前記被写体保持部材に保持される被写体乳房の位相コントラスト乳房撮影を行なう放射線画像撮影装置において、
前記放射線画像検出器の端面が、前記小焦点放射線源の焦点と、前記被写体保持部材上の被写体胸壁面とを結ぶ略直線上になるように前記被写体保持部材と、前記放射線画像検出器とを移動する第１移動手段と、
前記放射線画像検出器の端面が、前記小焦点放射線源の焦点と、前記被写体保持部材上の被写体胸壁面とを結ぶ略直線上より被写体側になるように前記被写体保持部材と、前記放射線画像検出器とを移動する第２移動手段と、
前記第１移動手段と前記第２移動手段とを切り替える制御手段とを備え、
前記制御手段は、前記移動手段の移動方向を、撮影方向が垂直方向か垂直方向以外かによって切り替えることを特徴とすることを特徴とする放射線画像撮影装置である。
【手続補正１７】
【補正対象書類名】明細書
【補正対象項目名】００２６
【補正方法】変更
【補正の内容】
【００２６】
この請求項６に記載の発明によれば、被写体や撮影方向等によって第１移動手段と第２移動手段とを切り替えることで、被写体や撮影方向等に応じて被写体に放射線が当たることを軽減し、かつ画像欠損領域が生じることがなく乳房画像を得ることができる。
【手続補正１８】
【補正対象書類名】明細書
【補正対象項目名】００２７
【補正方法】変更
【補正の内容】
【００２７】
請求項７に記載の発明は、前記制御手段は、撮影方向を垂直方向と垂直方向以外の方向によって切り替えることを特徴とする請求項６に記載の放射線画像撮影装置である。
【手続補正１９】
【補正対象書類名】明細書
【補正対象項目名】００２８
【補正方法】変更
【補正の内容】
【００２８】
この請求項７に記載の発明によれば、撮影方向を垂直方向と垂直方向以外の方向によって切り替えることで、被写体の患者が無理な姿勢をすることなく撮影でき、かつ画像欠損領域が生じることなく乳房画像を得ることができる。
【手続補正２０】
【補正対象書類名】明細書
【補正対象項目名】００２９
【補正方法】削除
【補正の内容】
【手続補正２１】
【補正対象書類名】明細書
【補正対象項目名】００３０
【補正方法】削除
【補正の内容】
【手続補正２２】
【補正対象書類名】明細書
【補正対象項目名】００３１
【補正方法】削除
【補正の内容】
【手続補正２３】
【補正対象書類名】明細書
【補正対象項目名】００３２
【補正方法】削除
【補正の内容】
【手続補正２４】
【補正対象書類名】明細書
【補正対象項目名】００３３
【補正方法】削除
【補正の内容】
【手続補正２５】
【補正対象書類名】明細書
【補正対象項目名】００３４
【補正方法】削除
【補正の内容】
【手続補正２６】
【補正対象書類名】明細書
【補正対象項目名】００３５
【補正方法】削除
【補正の内容】
【手続補正２７】
【補正対象書類名】明細書
【補正対象項目名】００３６
【補正方法】削除
【補正の内容】
【手続補正２８】
【補正対象書類名】明細書
【補正対象項目名】００３７
【補正方法】変更
【補正の内容】
【００３７】
請求項８に記載の発明は、前記被写体の被験者が寝ることが可能な寝台を有し、前記被験者が寝た状態で乳房撮影が可能であることを特徴とする請求項１乃至請求項７のいずれか１項に記載の放射線画像撮影装置である。
【手続補正２９】
【補正対象書類名】明細書
【補正対象項目名】００３８
【補正方法】変更
【補正の内容】
【００３８】
この請求項８に記載の発明によれば、被験者が寝た状態で、簡単かつ確実に乳房撮影が可能である。
【手続補正３０】
【補正対象書類名】明細書
【補正対象項目名】００３９
【補正方法】変更
【補正の内容】
【００３９】
請求項９に記載の発明は、前記放射線画像検出器の端面が、前記小焦点放射線源の焦点と、前記被写体保持部材上の被写体胸壁面とを結ぶ鉛直方向の略直線上に位置することを特徴とする請求項１乃至請求項８のいずれか１項に記載の放射線画像撮影装置である。
【手続補正３１】
【補正対象書類名】明細書
【補正対象項目名】００４０
【補正方法】変更
【補正の内容】
【００４０】
この請求項９に記載の発明によれば、鉛直方向から撮影することができる。
【手続補正３２】
【補正対象書類名】明細書
【補正対象項目名】００４１
【補正方法】変更
【補正の内容】
【００４１】
請求項１０に記載の発明は、前記放射線画像検出器の端面が、前記小焦点放射線源の焦点と、前記被写体保持部材上の被写体胸壁面とを結ぶ斜め方向の略直線上に位置することを特徴とする請求項１乃至請求項９のいずれか１項に記載の放射線画像撮影装置である。
【手続補正３３】
【補正対象書類名】明細書
【補正対象項目名】００４２
【補正方法】変更
【補正の内容】
【００４２】
この請求項１０に記載の発明によれば、被写体を斜め方向から撮影することができる。
【手続補正３４】
【補正対象書類名】明細書
【補正対象項目名】００４３
【補正方法】変更
【補正の内容】
【００４３】
請求項１１に記載の発明は、前記放射線画像検出器が、平面視四角形で２５×３２ｃｍ以上の大型カセッテであることを特徴とする請求項１乃至請求項１０のいずれか１項に記載の放射線画像撮影装置である。
【手続補正３５】
【補正対象書類名】明細書
【補正対象項目名】００４４
【補正方法】変更
【補正の内容】
【００４４】
この請求項１１に記載の発明によれば、平面視四角形で２５×３２ｃｍ以上の大型カセッテを用い、位相コントラスト拡大撮影で、画像欠損領域が生じることがなく乳房画像を得ることができる。
【手続補正３６】
【補正対象書類名】明細書
【補正対象項目名】００４５
【補正方法】変更
【補正の内容】
【００４５】
請求項１２に記載の発明は、前記放射線画像検出器が、被写体胸壁の画像欠損領域が２ｍｍ以下の大型カセッテであることを特徴とする請求項１乃至請求項１１のいずれか１項に記載の放射線画像撮影装置である。
【手続補正３７】
【補正対象書類名】明細書
【補正対象項目名】００４６
【補正方法】変更
【補正の内容】
【００４６】
この請求項１２に記載の発明によれば、被写体胸壁の画像欠損領域が２ｍｍ以下の大型カセッテを用い、位相コントラスト拡大撮影で、画像欠損領域が生じることがなく乳房画像を得ることができる。
【手続補正３８】
【補正対象書類名】明細書
【補正対象項目名】００４７
【補正方法】削除
【補正の内容】
【手続補正３９】
【補正対象書類名】明細書
【補正対象項目名】００４８
【補正方法】削除
【補正の内容】
【手続補正４０】
【補正対象書類名】明細書
【補正対象項目名】００４９
【補正方法】削除
【補正の内容】
【手続補正４１】
【補正対象書類名】明細書
【補正対象項目名】００５０
【補正方法】削除
【補正の内容】
【手続補正４２】
【補正対象書類名】明細書
【補正対象項目名】００５１
【補正方法】削除
【補正の内容】
【手続補正４３】
【補正対象書類名】明細書
【補正対象項目名】００５２
【補正方法】削除
【補正の内容】
【手続補正４４】
【補正対象書類名】明細書
【補正対象項目名】００５３
【補正方法】削除
【補正の内容】
【手続補正４５】
【補正対象書類名】明細書
【補正対象項目名】００５４
【補正方法】削除
【補正の内容】
【手続補正４６】
【補正対象書類名】明細書
【補正対象項目名】０１６４
【補正方法】変更
【補正の内容】
【０１６４】
【発明の効果】
前記したように、請求項１に記載の発明では、被写体保持部材及び放射線画像検出器の少なくとも一方を、被写体胸壁面と対向する方向又は被写体胸壁面と離間する方向に移動することで、位相コントラスト拡大撮影で、被写体に放射線が当たることを軽減し、かつ画像欠損領域が生じることがなく乳房画像を得ることができる。
【手続補正４７】
【補正対象書類名】明細書
【補正対象項目名】０１６５
【補正方法】削除
【補正の内容】
【手続補正４８】
【補正対象書類名】明細書
【補正対象項目名】０１６６
【補正方法】変更
【補正の内容】
【０１６６】
請求項２に記載の発明では、被写体保持部材及び放射線画像検出器の少なくとも一方を移動することで、位相コントラスト拡大撮影で、被写体に放射線が当たることを軽減し、かつ画像欠損領域が生じることがなく乳房画像を得ることができる。
【手続補正４９】
【補正対象書類名】明細書
【補正対象項目名】０１６７
【補正方法】変更
【補正の内容】
【０１６７】
請求項３に記載の発明では、輝尽性蛍光体に画像欠損領域が生じることがなく乳房画像を得ることができる。
【手続補正５０】
【補正対象書類名】明細書
【補正対象項目名】０１６８
【補正方法】変更
【補正の内容】
【０１６８】
請求項４に記載の発明では、フラットパネルディテクタに画像欠損領域が生じることがなく乳房画像を得ることができる。
【手続補正５１】
【補正対象書類名】明細書
【補正対象項目名】０１６９
【補正方法】変更
【補正の内容】
【０１６９】
請求項５に記載の発明では、輝尽性蛍光体端面が被写体側に位置することで、輝尽性蛍光体に画像欠損領域が生じることがなく乳房画像を得ることができる。
【手続補正５２】
【補正対象書類名】明細書
【補正対象項目名】０１７０
【補正方法】削除
【補正の内容】
【手続補正５３】
【補正対象書類名】明細書
【補正対象項目名】０１７１
【補正方法】変更
【補正の内容】
【０１７１】
請求項６に記載の発明では、被写体や撮影方向等によって第１移動手段と第２移動手段とを切り替えることで、被写体や撮影方向等に応じて被写体に放射線が当たることを軽減し、かつ画像欠損領域が生じることがなく乳房画像を得ることができる。
【手続補正５４】
【補正対象書類名】明細書
【補正対象項目名】０１７２
【補正方法】変更
【補正の内容】
【０１７２】
請求項７に記載の発明では、撮影方向を垂直方向と垂直方向以外の方向によって切り替えることで、撮影方向に応じて被写体に放射線が当たることを軽減し、かつ画像欠損領域が生じることがなく乳房画像を得ることができる。
【手続補正５５】
【補正対象書類名】明細書
【補正対象項目名】０１７３
【補正方法】削除
【補正の内容】
【手続補正５６】
【補正対象書類名】明細書
【補正対象項目名】０１７４
【補正方法】削除
【補正の内容】
【手続補正５７】
【補正対象書類名】明細書
【補正対象項目名】０１７５
【補正方法】削除
【補正の内容】
【手続補正５８】
【補正対象書類名】明細書
【補正対象項目名】０１７６
【補正方法】削除
【補正の内容】
【手続補正５９】
【補正対象書類名】明細書
【補正対象項目名】０１７７
【補正方法】変更
【補正の内容】
【０１７７】
請求項８記載の発明では、被験者が寝た状態で、簡単かつ確実に乳房撮影が可能である。
【手続補正６０】
【補正対象書類名】明細書
【補正対象項目名】０１７８
【補正方法】変更
【補正の内容】
【０１７８】
請求項９に記載の発明では、被写体を鉛直方向から撮影することができる。
【手続補正６１】
【補正対象書類名】明細書
【補正対象項目名】０１７９
【補正方法】変更
【補正の内容】
【０１７９】
請求項１０に記載の発明では、被写体を斜め方向から撮影することができる。
【手続補正６２】
【補正対象書類名】明細書
【補正対象項目名】０１８０
【補正方法】変更
【補正の内容】
【０１８０】
請求項１１に記載の発明では、平面視四角形で２５×３２ｃｍ以上の大型カセッテを用
い、位相コントラスト拡大撮影で、画像欠損領域が生じることがなく乳房画像を得ることができる。
【手続補正６３】
【補正対象書類名】明細書
【補正対象項目名】０１８１
【補正方法】変更
【補正の内容】
【０１８１】
請求項１２に記載の発明では、被写体胸壁の画像欠損領域が２ｍｍ以下の大型カセッテ
を用い、位相コントラスト拡大撮影で、画像欠損領域が生じることがなく乳房画像を得る
ことができる。
【手続補正６４】
【補正対象書類名】明細書
【補正対象項目名】０１８２
【補正方法】削除
【補正の内容】
【手続補正６５】
【補正対象書類名】明細書
【補正対象項目名】０１８３
【補正方法】削除
【補正の内容】
【手続補正６６】
【補正対象書類名】明細書
【補正対象項目名】０１８４
【補正方法】削除
【補正の内容】
【手続補正６７】
【補正対象書類名】明細書
【補正対象項目名】０１８５
【補正方法】削除
【補正の内容】